(57)【要約】【課題】上げ下げ部材のドラムによる巻取り状態が安定し、蛇行の発生をなくすことでカーテンの上げ下ろし操作が円滑に行えるロールカーテンを提供する。【解決手段】ヘッドボックス１にカーテン２の上端部とカーテンの上げ下げ部材３の一端側を取付け、このヘッドボックス１に外部の操作手段４で正逆回転するよう組み込んだ回転シャフト５にドラム６を設け、前記上げ下げ部材３を折り返し状にしてその他端側をドラム６に巻取り、前記カーテン２の下端側を中心にしたロール巻き部分２ａを上げ下げ部材３の折り返し部分で支持し、この上げ下げ部材３の巻取りと繰り出しによるロール巻き部分２ａの回転でカーテン２の下端側を上げ下げするようにしたロールカーテンＡにおいて、前記カーテン２の上げ下げ部材３を広幅のテープで形成する。【選択図】図３
2006138152.tif 000002
【特許請求の範囲】
【請求項１】
ヘッドボックスにカーテンの上端部とこのカーテンの上げ下げ部材の一端側を取付け、このヘッドボックスに外部の操作手段で正逆回転するよう組み込んだ回転シャフトにドラムを設け、前記上げ下げ部材を折り返し状にしてその他端側をドラムに巻取り、前記カーテンの下端側を中心にしてロール巻き状にした部分を上げ下げ部材の折り返し部分で支持し、この上げ下げ部材の巻取りと繰り出しによりロール巻きの巻き径を変化させることでカーテンの下端側を上げ下げするようにしたロールカーテンにおいて、前記上げ下げ部材に広幅のテープを用いたことを特徴とするロールカーテン。
【発明の詳細な説明】
【技術分野】
【０００１】
この発明は、カーテンの下端側をロール巻き状にし、このロール巻き部分を上下動させてロール巻きの巻き径を変化させることで、カーテンの下端側を上げ下げするようにしたロールカーテンに関する。
【背景技術】
【０００２】
カーテンの一つの形態として、カーテンのロール巻き状にした部分を上下動させ、ロール巻き部分の巻き径を変化させることでカーテンの下端側を上げ下げするようにしたロールカーテンはすでに知られている。
【０００３】
上記ロールカーテンは、建物側に固定するヘッドボックスにカーテンの上端部とこのカーテンの上げ下げ部材の一端側を取付け、このヘッドボックス内に外端部の操作手段で正逆回転するよう組み込んだ回転シャフトにドラムを設け、前記上げ下げ部材を折り返し状にしてその他端側をドラムに巻取り、前記カーテンの下端側を中心にしてロール巻き状にした部分を上げ下げ部材の折り返し部分で支持し、操作手段で回転シャフトを回転させて上げ下げ部材の巻取り又は繰り出しを行うことにより、ロール巻きの巻き径を変化させることでカーテンの下端側を上げ下げするようになっている。
【０００４】
従来、上記のようなロールカーテンにおいて、カーテンのロール巻きした部分を支持し、ドラムの巻取り又は繰り出しによって、ロール巻きした部分を上下動させる上げ下げ部材は、比較的強度のある糸紐を用いて形成されていた（例えば、特許文献１参照）。
【特許文献１】実用新案登録第３１０３１６７号公報
【発明の開示】
【発明が解決しようとする課題】
【０００５】
ところで、上げ下げ部材が糸紐であると、ドラムによる糸紐の巻取り時に、糸紐がドラムの定位置に巻き付くことによって盛り上がり、これがヘッドボックスに接触したり、この盛り上がりが崩れることによってドラムから糸紐が離脱し、回転シャフトに直接巻き付くことによって、カーテンの上げ下ろし操作が円滑に行えない事態が発生することがある。
【０００６】
また、上げ下げ部材が糸紐であると、ドラムによる糸紐の巻取り時に糸紐に蛇行が発生し、これによっても、カーテンの上げ下ろし操作が円滑に行えない事態が発生する。
【０００７】
そこで、この発明の課題は、上げ下げ部材を広幅のテープにすることにより、ドラムによる巻取り状態が安定し、蛇行の発生をなくすことでカーテンの上げ下ろし操作が円滑に行えるロールカーテンを提供することにある。
【課題を解決するための手段】
【０００８】
上記のような課題を解決するため、この発明は、ヘッドボックスにカーテンの上端部とこのカーテンの上げ下げ部材の一端側を取付け、このヘッドボックス内に外部の操作手段で正逆回転するよう組み込んだ回転シャフトにドラムを設け、前記上げ下げ部材を折り返し状にしてその他端側をドラムに巻取り、前記カーテンの下端側を中心にしてロール巻き状にした部分を上げ下げ部材の折り返し部分で支持し、この上げ下げ部材の巻取りと繰り出しによりロール巻きの巻き径を変化させることでカーテンの下端側を上げ下げするようにしたロールカーテンにおいて、前記上げ下げ部材に広幅のテープを用いた構成を採用したものである。
【０００９】
ここで、ヘッドボックスはカーテンの幅に対応する横長に形成され、回転シャフトに設けたドラムは、上げ下げ部材を形成する広幅のテープの幅に対応する横長になっている。
【００１０】
また、上げ下げ部材を形成する広幅のテープは、布や樹脂等のテープを用い、カーテンとの色調や模様の組み合わせにより、カーテンにアクセントを与えてデザイン性を向上させることになる。
【発明の効果】
【００１１】
この発明によると、ロールカーテンにおける上げ下げ部材に広幅のテープを用いたので、ドラムによる巻取り状態が安定して蛇行の発生がなく、ドラムから離脱したりドラムでの巻き径が部分的に盛り上がるようなことがなく、従って、カーテンの上げ下ろし操作が円滑に行えるようになる。
【００１２】
また、上げ下げ部材に広幅のテープを用いると、この上げ下げ部材の折り返し部で支持するカーテンの支持面積が広くなり、カーテンにおけるロール巻き部分の支持状態が安定し、上げ下げ時にカーテンが横振れするのを防ぐことができる。
【００１３】
更に、上げ下げ部材に広幅のテープを用いると、カーテンとの色調や模様の組み合わせにより、カーテンにアクセントを与えてデザイン性を向上させることができる。
【発明を実施するための最良の形態】
【００１４】
以下、この発明の実施の形態を添付図面に基づいて説明する。
【００１５】
図示のように、ロールカーテンＡは、建物側に固定するヘッドボックス１にカーテン２の上端部とこのカーテン２の上げ下げ部材３の一端側を取付け、このヘッドボックス１に外端部の操作手段４で正逆回転するよう取付けた回転シャフト５にドラム６を設け、前記上げ下げ部材３を折り返し状にしてその他端側をドラム６に巻取り、前記カーテン２の下端側を中心にしてロール巻き状にした部分を上げ下げ部材３の折り返し部分で支持し、操作手段４で回転シャフト５を回転させ上げ下げ部材３の巻取り又は繰り出しを行うことにより、ロール巻きの巻き径を変化させることでカーテン２の下端側を上げ下げするようになっている。
【００１６】
上記ヘッドボックス１は、カーテン２の幅に対応する横長に形成され、その一方端部に操作手段４が取付けられ、この操作手段４に一端が支持された回転シャフト５の他端が軸受を介して支持され、ヘッドボックス１の長さ方向に平行する配置になっている。
【００１７】
上記操作手段４は、周知のように、ヘッドボックス１に固定したケース７で回転シャフト５の一端側を回転可能に支持し、この回転シャフト５のケース７内に位置する部分にプーリ８を取付け、プーリ８に巻回した鎖紐９をこのプーリ８の溝に係合させ、鎖紐９の操作でプーリ８を介して回転シャフト５を正転又は逆転させ、鎖紐９の任意の位置をケース７に対して係脱可能にした構造になっている。
【００１８】
上記カーテン２はその上端部が面ファスナー１０等の取付け手段を用いてヘッドボックス１に固定され、また、カーテン２の上げ下げ部材３はその一端側が同じく面ファスナー１０を用いてヘッドボックス１に固定され、この上げ下げ部材３はカーテン２の幅方向の両側二箇所の位置に配置されている。
【００１９】
上記上げ下げ部材３は、幅が３〜５ｃｍ程度の布や樹脂等の滑り性のよい広幅のテープを用いて形成され、このテープを用いた上げ下げ部材３はカーテン２との色調や模様の組み合わせにより、カーテン２にアクセントを与えてデザイン性を向上させることができる。
【００２０】
また、回転シャフト５に設けたドラム６は、上げ下げ部材３の配置に対応するよう回転シャフト５の両側位置に設けられ、上げ下げ部材３を形成する広幅のテープの幅に対応する長さとなる巻き胴６ａの両端にフランジ６ｂを設けた横長になっている。
【００２１】
上記上げ下げ部材３は、折り返し状にしてその他端側をドラム６に巻取り、前記カーテン２の下端側を中心にしてロール巻き状にした部分を上げ下げ部材３の折り返し部分で支持し、この上げ下げ部材３の巻取り又は繰り出しにより折り返し部分が上下動すると、カーテン２のロール巻き部分２ａは上げ下げ部材３との接触によってロール巻き部分２ａに回転が生じ、このロール巻き部分２ａの巻き径が変化することで、カーテン２は下端側が上げ下げされることになる。
【００２２】
上記上げ下げ部材の配置として、図２と図３の例は、上げ下げ部材３の一端側をヘッドボックス１とカーテン２の間に挟み、この上げ下げ部材３をカーテン２の上部に設けた切れ目１１からカーテン２の他面側に引き出し、折り返し部分でカーテン２のロール巻き部分２ａを支持するように他端側をドラム６に巻回している。
【００２３】
図４の例では、上げ下げ部材３の一端側をカーテン２のヘッドボックス１に取付けた部分の外側に縫着し、この上げ下げ部材３をカーテン２の外面に沿わせて折り返し部分でカーテン２のロール巻き部分２ａを支持するように他端側をドラム６に巻回している。
【００２４】
この発明のロールカーテンは上記のような構成であり、ヘッドボックス１を建物側に固定することでカーテン２を吊り下げ状に配置し、操作手段４における鎖紐９の係止側の垂下部分を引き下げることによりプーリ８を介して回転シャフト５を正転させ、ドラム６で上げ下げ部材３を巻き取ると、折り返し部分が上昇することでロール巻き部分２ａは巻取り方向に回転が生じ、カーテン２は下端側が引き上げられ、鎖紐９をケース７に係止すれば引き上げ状態が保持できる。
【００２５】
また、鎖紐９のケース７に対する係止を解くと、カーテン２のロール巻き部分２ａの重量でロール巻き部分２ａが下降し、上げ下げ部材３はドラム６から引き出されることでカーテン２を降ろすことができる。
【００２６】
上記カーテン２の上げ下げ時において、上げ下げ部材３は広幅のテープに形成してあるので、ドラム６による巻取り状態が安定して蛇行の発生がなく、ドラム６から離脱したりドラム６での巻き径が部分的に盛り上がるようなことがなく、また、上げ下げ部材３の折り返し部で支持するカーテン２の支持面積が広くなり、カーテン２におけるロール巻き部分２ａの支持状態が安定し、上げ下げ時にカーテン２が横振れするのを防ぐことができ、従って、カーテン２の上げ下ろし操作が円滑に行えるようになる。
【図面の簡単な説明】
【００２７】
【図１】この発明に係るロールカーテンの全体形状を示す正面図
【図２】この発明に係るロールカーテンの縦断側面図
【図３】この発明に係るロールカーテンの要部を示す斜視図
【図４】この発明に係るロールカーテンの上げ下げ部材の配置の他の例を示す縦断側面図
【符号の説明】
【００２８】
１        ヘッドボックス
２        カーテン
２ａ      ロール巻き部分
３        上げ下げ部材
４        操作手段
５        回転シャフト
６        ドラム
７        ケース
８        プーリ
９        鎖紐
１０      面ファスナー
１１      切れ目
Ａ        ロールカーテン
【図１】
2006138152.tif 000003
【図２】
2006138152.tif 000004
【図３】
2006138152.tif 000005
【図４】
2006138152.tif 000006